(57)【要約】【課題】  何等かの原因で掛止物が揺動や振動しても、脱落を確実に防止できる壁面止着フックを提供する。【解決手段】  壁面止着フック１は、樹脂製のフック本体２と樹脂製のキャップ３とからなり、フック本体２は、上端に形成した隆起押圧部２０と、隆起押圧部２０から下向きに延設されて、その下端部が前向きかつ上向きに反転するフック部２１とを備え、その先端２１ａは、カレンダーなどの掛止物５の掛脱を許容する空間２３を隔てて隆起押圧部２０の下端部２０ａに臨み、隆起押圧部２０の体内には、背面２２から突出する金属製の止着針２４の基端部２４ｂがインサート成形されている。キャップ３が隆起押圧部２０に着脱可能に装着されることにより、キャップ３に設けた閉塞片３２が空間２３に延在して該空間２３を閉塞し、掛止物５の脱落を防止する。【選択図】        図７
0003184108.tif 000002
【実用新案登録請求の範囲】
【請求項１】
フック本体とキャップとからなり、
フック本体は、上端に形成した隆起押圧部と、この隆起押圧部から下向きに延設されて、その下端部が前向きかつ上向きに反転するフック部とを備え、フック部の先端は、掛止物の掛脱を許容する空間を隔てて隆起押圧部の下端部に臨んでいるとともに、隆起押圧部の体内には、その背面から突出する止着針の基端部がインサート成形されている壁面止着フックであって、
前記キャップは、フック本体の隆起押圧部に着脱可能であり、かつ、該隆起押圧部への装着時に前記空間に延在して該空間を閉塞する閉塞片が設けられていることを特徴とする壁面止着フック。
【請求項２】
請求項１に記載した壁面止着フックにおいて、
前記キャップは、前記隆起押圧部への装着時に該隆起押圧部の頂面を覆って当接する天井部と、隆起押圧部の幅方向両側外面を覆って当接する左右の側壁部および隆起押圧部の前記頂面と前記幅方向両側外面に連続する前面を覆って当接するとともに、下端に前記閉塞片を連設した前壁部とを備え、前記隆起押圧部の幅方向両側外面と前記キャップの左右の側壁部の内面の一方側に鉛直にのびる案内溝が形成され、隆起押圧部の幅方向両側外面とキャップの左右の側壁部の内面の他方側に前記案内溝に鉛直方向の相対移動を可能に嵌合する突条が突設されてなる壁面止着フック。
【考案の詳細な説明】
【技術分野】
【０００１】
本考案は、壁面止着フックに係り、詳しくは、フック部に掛止された掛止物の揺動や振動による脱落を防止するように構成した壁面止着フックに関する。
【背景技術】
【０００２】
従来の壁面止着フックとして、たとえば図８〜図１１に示すものが知られている。この壁面止着フック５０は、石膏ボード壁やベニヤ板壁などの被着体５１表面の鉛直止着面５１ａに止着されて、たとえば、カレンダーなどの比較的軽量の掛止物５２を掛止するのに好適である。
【０００３】
壁面止着フック５０は、一体成形された樹脂製のもので、上端に形成した隆起押圧部５３と、この隆起押圧部５３の後端部から鉛直下向きに延設され、その下端部が前向きかつ上向きに反転するＵ字状のフック部５４とを備え、互いに連続する隆起押圧部５３とフック部５４の背面５５は平坦に形成されており、フック部５４の先端５４ａは、カレンダーなど掛止物５２の掛止孔５２ａの掛脱を許容する空間５６を隔てて隆起押圧部５３の下端部５３ａに臨んでいる。そして、隆起押圧部５３の体内には、その背面５５から斜め下向きに先端５７ａが突出する金属製の止着針５７の
基端部５７ｂがインサート成形されている。
【０００４】
前記構成の壁面止着フック５０によれば、図１０に示すように、石膏ボード壁やベニヤ板壁などの被着体５１の鉛直止着面５１ａの所定位置に止着針５７の先端５７ａをあてがって、隆起押圧部５３を親指により直接斜め下向き（矢印Ｐ）に押圧するか、あるいは硬貨を介在させて親指により間接的に斜め下向き（矢印Ｐ）に押圧すれば、止着針５７は被着体５１に圧入されて、図１１に示すように、壁面止着フック５０を被着体５１の鉛直止着面５１ａに止着することができ、この状態で空間５６を利用して、たとえば、カレンダーなど掛止物５２の上端部に形成されている掛止孔５２ａにフック部５４の先端５４ａを挿通することにより、掛止物５２を掛止することができる。掛止された掛止物５２は、空間５６を利用して掛止孔５２ａをフック部５４の先端５４ａから引き抜くことで、壁面止着フック５０から取り外すことが可能である。
【０００５】
一方、図１１において掛止物５２を取り外した壁面止着フック５０は、隆起押圧部５３を摘んで直接斜め上向き（矢印Ｐ１）に引っ張ることで、被着体５１の鉛直止着面５１ａから除去することが可能である。壁面止着フック５０が除去された被着体５１の鉛直止着面５１ａには、止着針孔の痕跡をとどめるものの、その孔径は無視し得る程度の極小であることにより問題にはならない。
【先行技術文献】
【特許文献】
【０００６】
【特許文献１】特になし
【考案の概要】
【考案が解決しようとする課題】
【０００７】
前記従来の壁面止着フック５０は、カレンダーなどの軽量かつ掛脱頻度の低い掛止物５２の掛止に好適であるばかりか、キーホルダー、ゴムバンドあるいはメモ用紙の束などのような軽量かつ掛脱頻度の高い掛止物の掛止にも適用可能である。ところが、空間５６は、常時開放しているため、何等かの原因で掛止物５２が揺動や振動すると脱落する問題点を有している。
【０００８】
本考案は、このような問題を解決するものであって、その目的とするところは、何等かの原因で掛止物が揺動や振動しても、脱落を確実に防止できる壁面止着フックを提供することにある。
【課題を解決するための手段】
【０００９】
前記目的を達成するために、本考案に係る壁面止着フックは、
フック本体とキャップとからなり、
フック本体は、上端に形成した隆起押圧部と、この隆起押圧部から下向きに延設されて、その下端部が前向きかつ上向きに反転するフック部とを備え、フック部の先端は、掛止物の掛脱を許容する空間を隔てて隆起押圧部の下端部に臨んでいるとともに、隆起押圧部の体内には、その背面から突出する止着針の基端部がインサート成形されている壁面止着フックであって、
前記キャップは、フック本体の隆起押圧部に着脱可能であり、かつ、該隆起押圧部への装着時に前記空間に延在して該空間を閉塞する閉塞片が設けられていることを特徴としている。
【００１０】
前記構成の壁面止着フックによれば、フック本体とキャップとを分離した状態で、石膏ボード壁やベニヤ板壁などの被着体の止着面の所定位置に止着針の先端をあてがって、隆起押圧部を被着体の止着面に向けて押圧すれば、止着針は被着体に圧入されて、フック本体が被着体の止着面に止着される。
掛止物は、その上端部を空間を介してフック部に掛止することで、フック本体に掛止される。
フック本体で掛止物を掛止したのちに隆起押圧部にキャップを装着すれば、キャップの閉塞片がフック本体の空間に延在して当該空間を閉塞する。このため、何等かの原因で掛止物が揺動や振動しても、フック本体から脱落するのを確実に防止することが可能となる。
【００１１】
本考案に係る壁面止着フックのキャップは、前記隆起押圧部への装着時に該隆起押圧部の頂面を覆って当接する天井部と、隆起押圧部の幅方向両側外面を覆って当接する左右の側壁部および隆起押圧部の前記頂面と前記幅方向両側外面に連続する前面を覆って当接するとともに、下端に前記閉塞片を連設した前壁部とを備え、前記隆起押圧部の幅方向両側外面と前記キャップの左右の側壁部の内面の一方側に鉛直にのびる案内溝が形成され、隆起押圧部の幅方向両側外面とキャップの左右の側壁部の内面の他方側に前記案内溝に鉛直方向の相対移動を可能に嵌合する突条が突設されている。
【００１２】
これによれば、被着体の止着面に止着され、かつ、フック部により掛止物を掛止しているフック本体の隆起押圧部にキャップを装着する操作は、キャップを隆起押圧部の直上から下降して、案内溝と突条の端部同士を嵌合させたのち、キャップを、その天井部が隆起押圧部の頂面に当接するレベルまで押し下げることで、案内溝と突条とが鉛直方向に相対移動する案内作用により、キャップはスムーズに隆起押圧部に装着されて、その閉塞片を空間に延在させてこれを閉塞することができる。また、隆起押圧部に装着されているキャップは、左右の側壁部を摘んで引き上げることで、案内溝と突条とが鉛直方向逆向きに相対移動する案内作用により、スムーズに隆起押圧部から離脱させることができる。つまり、隆起押圧部に対するキャップのスムーズな着脱が可能となる。
【００１３】
一方、キャップが隆起押圧部に装着されている状態では、突条が案内溝に嵌合していることにより、キャップと隆起押圧部との前後方向の相対移動が抑えられて、キャップの隆起押圧部前方への離脱が防止される。このため、壁面止着フックの使用状態において、何等かの原因で掛止物が揺動や振動して空間を閉塞している閉塞片に衝突したとしても、その衝撃によるキャップの隆起押圧部前方への離脱、延いては掛止物が壁面止着フックから脱落する事態の発生を確実に防止することが可能となる。
【考案の効果】
【００１４】
本考案に係る壁面止着フックによれば、被着体の止着面に止着されたフック本体により掛止物を掛止したのちに、隆起押圧部にキャップを装着することで、キャップの閉塞片がフック本体の空間に延在してこれを閉塞するので、何等かの原因で掛止物が揺動や振動しても掛止物がフック本体から脱落するのを確実に防止することができる。
【図面の簡単な説明】
【００１５】
【図１】本考案に係る壁面止着フックの一実施形態を分解して示す正面図である。
【図２】図１の右側面図である。
【図３】図１に示したキャップの平面図である。
【図４】フック本体の隆起押圧部にキャップを装着した壁面止着フックの組立状態を示す正面図である。
【図５】被着体の止着面に止着針の先端をあてがった状態を示す側面図である。
【図６】フック本体を被着体の止着面に止着した状態を示す側面図である。
【図７】本考案に係る壁面止着フックによる掛止物の掛止状態の一実施形態を示す側面図である。
【図８】従来例の正面図である。
【図９】図８の右側面図である。
【図１０】被着体の止着面に止着針の先端をあてがった状態を示す従来例の側面図である。
【図１１】従来例による掛止物の掛止状態を示す側面図である。
【考案を実施するための形態】
【実施例】
【００１６】
図１は本考案に係る壁面止着フックの一実施形態を分解して示す正面図、図２は図１の右側面図、図３は図１に示したキャップの平面図、図４はフック本体の隆起押圧部にキャップを装着した壁面止着フックの組立状態を示す正面図である。
図１〜図４において、壁面止着フック１は、ＡＢＳ樹脂によって一体成形されたフック本体２と、ポリエチレン樹脂によって一体成形されたキャップ３とからなる。
【００１７】
フック本体２は、上端に形成されて前方に隆起し、かつ、投影正面形状が小判形を呈する隆起押圧部２０と、この隆起押圧部２０の後端部から鉛直下向きに延設され、その下端部が前向きかつ上向きに反転するＵ字状のフック部２１とを備え、互いに連続する隆起押圧部２０とフック部２１の背面２２は平坦に形成されており、フック部２１の先端２１ａは、後述するカレンダーなど掛止物の上端部に設けた掛止孔の掛脱を許容する空間２３を隔てて隆起押圧部２０の下端部２０ａに臨んでいるとともに、隆起押圧部２０の体内には、その背面２２から斜め下向きに先端２４ａが突出する金属製の止着針２４の基端部２４ｂがインサート成形されている。また、隆起押圧部２０における幅方向両側外面２０ｂには、その上端から下端に延在して鉛直にのびる案内溝２５が形成されている。
【００１８】
キャップ３は、フック本体２の隆起押圧部２０に着脱可能である。つまり、キャップ３は、図４に示すように、フック本体２の隆起押圧部２０に装着したり、図１，図２に示すように、フック本体２の隆起押圧部２０から分離させることができる。なお、本考案に係る壁面止着フック１は、図４に示すように、フック本体２の隆起押圧部２０に被せて装着した状態で出荷または販売される。
【００１９】
図１〜図４において、キャップ３は、隆起押圧部２０の半円状の頂面２０ｃを覆って当接する半円状の天井部３０と、隆起押圧部２０の幅方向両側外面２０ｂを覆って当接する左右の側壁部３１および隆起押圧部２０の頂面２０ｃと幅方向両側外面２０ｂに連続する前面２０ｄを覆って当接するとともに、下端に閉塞片３２を連設した前壁部３３とを備え、後端および下端はそれぞれ開放してある。そして、左右の側壁部３１の内面には、フック本体２の隆起押圧部２０における幅方向両側外面２０ｂに形成されている前記案内溝２５に鉛直方向の相対移動を可能に嵌合する突条３４が鉛直にのびて突設されている。
【００２０】
前記構成の壁面止着フック１によれば、図１，図２に示すように、フック本体２とキャップ３とを分離し、分離したフック本体２は、図５のように、止着針２４の先端２４ａを石膏ボード壁やベニヤ板壁などの被着体４の鉛直止着面４ａの所定位置にあてがって、隆起押圧部２０を親指により直接斜め下向き（矢印Ｐ）に押圧するか、あるいは硬貨を介在させて親指により間接的に斜め下向き（矢印Ｐ）に押圧すれば、止着針２４は被着体４に圧入されて、図６に示すように、フック本体２を被着体５１の鉛直止着面５１ａに止着することができ、この状態で空間２３を利用して、たとえば、カレンダーなど掛止物５の上端部に形成されている掛止孔５ａにフック部２１の先端２１ａを挿通することにより、掛止物５を掛止することができる。なお、掛止された掛止物５は、空間２３を利用して掛止孔５ａをフック部２１の先端２１ａから引き抜くことで、フック本体２から取り外すことが可能である。
【００２１】
図６に示すように、被着体５１の鉛直止着面５１ａに止着されたフック本体２のフック部２１により掛止物５を掛止したならば、二点鎖線で示すように、キャップ３を隆起押圧部２０の直上位置に位置決めし、この位置から少し下降させることで、キャップ３側の突条３４の下端をフック本体２側の案内溝２５の上端に対応させる。この状態でキャップ３を、その天井部３０が隆起押圧部２０の頂面２０ｃに当接するレベルまで押し下げると、案内溝２５と突条３４とが鉛直方向に相対移動する案内作用により、キャップ３はスムーズに図７に示すように隆起押圧部２０に装着され、閉塞片３２が空間２３に延在して該空間２３を閉塞することができる。このため、何等かの原因で掛止物５が揺動や振動しても、フック本体２から脱落するのを確実に防止することが可能となる。
【００２２】
なお、図７のようにフック本体２の隆起押圧部２０に装着されているキャップ３は、左右の側壁部３１を指先で摘んで引き上げることで、案内溝２５と突条３４とが鉛直方向逆向きに相対移動する案内作用により、スムーズに隆起押圧部２０から離脱させることができる。つまり、本考案に係る壁面止着フック１は、隆起押圧部２０に対するキャップ３のスムーズな着脱が可能である。
【００２３】
一方、キャップ３が隆起押圧部２０に装着されている状態では、突条３４が案内溝２５に嵌合していることにより、キャップ３と隆起押圧部２０との前後方向の相対移動が抑えられて、キャップ３の隆起押圧部２０前方への離脱が防止される。このため、壁面止着フック１の使用状態において、何等かの原因で掛止物５が揺動や振動して、その上端部が空間２３を閉塞している閉塞片３２に衝突したとしても、その衝撃によるキャップ３の隆起押圧部２０前方への離脱、延いては掛止物５が壁面止着フック１から脱落する事態の発生を確実に防止することが可能となる。
【００２４】
前記実施形態では、フック本体２の隆起押圧部２０における幅方向両側外面２０ｂに鉛直にのびる案内溝２５を形成し、キャップ３の左右の側壁部３１の内面には、案内溝２５に鉛直方向の相対移動を可能に嵌合する突条３４を鉛直にのびて突設した構造で説明しているが、本考案に係る壁面止着フック１は、キャップ３の左右の側壁部３１の内面に鉛直にのびる案内溝を形成し、フック本体２の隆起押圧部２０における幅方向両側外面２０ｂに、キャップ３側の前記案内溝に鉛直方向の相対移動を可能に嵌合する突条を鉛直にのびて突設した構造であってもよい。
【００２５】
また、前記実施形態では、掛止物５として、掛脱頻度の低いカレンダーを使用しているが、キーホルダー、ゴムバンドあるいはメモ用紙の束などのような軽量かつ掛脱頻度が高い掛止物の掛止にも対応可能である。
【産業上の利用可能性】
【００２６】
本考案に係る壁面止着フックは、石膏ボード壁やベニヤ板壁などの被着体の鉛直止着面に止着され、たとえば、カレンダーなどの比較的軽量かつ掛脱頻度の低い掛止物や、キーホルダー、ゴムバンドあるいはメモ用紙の束などのような軽量かつ掛脱頻度が高い掛止物の掛止に有用である。
【符号の説明】
【００２７】
１  壁面止着フック
２  フック本体
３  キャップ
５  掛止物
２０  隆起押圧部
２０ａ  隆起押圧部の下端部
２０ｂ  隆起押圧部の幅方向両側外面
２０ｃ  隆起押圧部の頂面
２０ｄ  隆起押圧部の前面
２１  フック部
２２  隆起押圧部の背面
２３  空間
２４  止着針
２４ａ  止着針の基端部
２５  案内溝
３０  キャップの天井部
３１  キャップの左右の側壁部
３２  閉塞片
３３  キャップの前壁部
３４  突条
【図１】
0003184108.tif 000003
【図２】
0003184108.tif 000004
【図３】
0003184108.tif 000005
【図４】
0003184108.tif 000006
【図５】
0003184108.tif 000007
【図６】
0003184108.tif 000008
【図７】
0003184108.tif 000009
【図８】
0003184108.tif 000010
【図９】
0003184108.tif 000011
【図１０】
0003184108.tif 000012
【図１１】
0003184108.tif 000013